(57)【要約】【課題】薄型化を図りつつ表示装置の破損を抑制できる携帯端末装置を提供する。【解決手段】携帯電話機１は、第２筐体５内に配置され、背面部５ｂに対向する表示面３１ａを有するサブ表示装置３１と、サブ表示装置３１に対して背面部５ｂとは反対側において、筐体内部に固設された板金部５７とを有し、サブ表示装置３１は、背面部５ｂに対向し、表示面３１ａに重なる第１領域部６９ａ及び第１領域部６９ａに並ぶ第２領域部６９ｂを有する第１ガラス基板６９を有し、表示面３１ａを構成する表示パネル６３と、第１ガラス基板６９の第２領域部６９ｂに設けられ、表示パネル６３を駆動するドライバ６５とを有し、板金部５７は、第２領域部６９ｂに隣接して設けられ、背面部５ｂへ向かって突出する係合部３０を有する。【選択図】図２
2008294653.tif 000002
【特許請求の範囲】
【請求項１】
透光性の領域が形成された透光面部を有する筐体と、
前記筐体内に配置され、前記透光面部に対向する表示面を有する表示装置と、
前記表示装置に対して前記透光面部とは反対側において、前記筐体内部に固設された固設部材と、
を有し、
前記表示装置は、
前記透光面部に対向し、前記表示面に重なる第１領域部及び当該第１領域部に並び前記表示面の外側に位置する第２領域部を有する基板を有し、前記表示面を構成する表示パネルと、
前記基板の前記第２領域部に設けられ、前記表示パネルを駆動するドライバと、
を有し、
前記固設部材は、前記第２領域部に隣接して設けられた、前記透光面部側へ向かって突出する突起部を有する
携帯端末装置。
【請求項２】
前記固設部材と前記透光面部との間に配置された回路基板を有し、
前記回路基板には、前記表示装置及び前記突起部が共に配置される開口部が形成されている
請求項１に記載の携帯端末装置。
【請求項３】
前記突起部は、前記表示装置よりも前記透光面部側へ突出している
請求項１又は２に記載の携帯端末装置。
【請求項４】
前記ドライバは、長尺状に形成され、
前記突起部は、前記ドライバの長手方向の複数位置に設けられている
請求項１〜３のいずれか１項に記載の携帯端末装置。
【請求項５】
前記表示装置を保持する保持部材と、
前記保持部材を前記筐体内部で位置決めする位置決め部材と、
を有し、
前記突起部は、前記位置決め部材により構成されている
請求項１〜４のいずれか１項に記載の携帯端末装置。
【請求項６】
前記固設部材は、前記筐体の少なくとも一部と一体的に構成されている
請求項１〜５のいずれか１項に記載の携帯端末装置。
【請求項７】
前記筐体は、
第１の材料により構成されたケース部材と、
前記第１の材料よりも弾性係数の高い第２の材料により構成され、前記第２領域部に対向して前記ケース部材の内面に配置された補強部材と、
を含んで構成され、
前記突起部は、前記補強部材に当接する
請求項１〜６のいずれか１項に記載の携帯端末装置。
【請求項８】
前記固設部材は、金属部材により構成されており、前記筐体内部の基準電位部に接続され、
前記補強部材は、導電性部材により構成され、前記突起部を介して前記基準電位部に電気的に接続されている
請求項７に記載の携帯端末装置。
【発明の詳細な説明】
【技術分野】
【０００１】
本発明は、携帯電話機、デジタルカメラ、ＰＤＡ、ノートパソコン、ゲーム機等の携帯端末装置に関する。
【背景技術】
【０００２】
いわゆるＣＯＧ（Ｃｈｉｐ  Ｏｎ  Ｇｌａｓｓ）式の表示装置を有する携帯端末装置が知られている（例えば特許文献１）。ＣＯＧ式の表示装置では、表示パネルを構成するガラス基板に、表示パネルの画素部を駆動する、ＩＣにより構成されたドライバが配置される。携帯端末装置の筐体は、表示装置の表示面を露出させるための透光領域が形成された透光面部を有している。表示装置は、透光面部の内側面に表示面を対向させて配置される。
【特許文献１】特開２００６−１３３８０４号公報
【発明の開示】
【発明が解決しようとする課題】
【０００３】
筐体の薄型化のためには、表示装置の表示面を筐体の透光面部の内側面に近接させることが望ましい。しかし、表示面を内側面に近接させると、筐体に荷重が加えられたときに、その荷重が表示装置にも伝達されやすくなる。すなわち、表示パネルやドライバが破損しやすくなる。特に、ＩＣは、硬度が高いため、曲げモーメントに対して脆い性質を有しており、破損する蓋然性が高い。
【０００４】
本発明の目的は、薄型化を図りつつ表示装置の破損を抑制できる携帯端末装置を提供することにある。
【課題を解決するための手段】
【０００５】
本発明の携帯端末装置は、透光性の領域が形成された透光面部を有する筐体と、前記筐体内に配置され、前記透光面部に対向する表示面を有する表示装置と、前記表示装置に対して前記透光面部とは反対側において、前記筐体内部に固設された固設部材と、を有し、前記表示装置は、前記透光面部に対向し、前記表示面に重なる第１領域部及び当該第１領域部に並び前記表示面の外側に位置する第２領域部を有する基板を有し、前記表示面を構成する表示パネルと、前記基板の前記第２領域部に設けられ、前記表示パネルを駆動するドライバと、を有し、前記固設部材は、前記第２領域部に隣接して設けられた、前記透光面部側へ向かって突出する突起部を有する。
【０００６】
好適には、前記固設部材と前記透光面部との間に配置された回路基板を有し、前記回路基板には、前記表示装置及び前記突起部が共に配置される開口部が形成されている。
【０００７】
好適には、前記突起部は、前記表示装置よりも前記透光面部側へ突出している。
【０００８】
好適には、前記ドライバは、長尺状に形成され、前記突起部は、前記ドライバの長手方向の複数位置に設けられている。
【０００９】
好適には、前記表示装置を保持する保持部材と、前記保持部材を前記筐体内部で位置決めする位置決め部材と、を有し、前記突起部は、前記位置決め部材により構成されている。
【００１０】
好適には、前記固設部材は、前記筐体の少なくとも一部と一体的に構成されている。
【００１１】
好適には、前記筐体は、第１の材料により構成されたケース部材と、前記第１の材料よりも弾性係数の高い第２の材料により構成され、前記第２領域部に対向して前記ケース部材の内面に配置された補強部材と、を含んで構成され、前記突起部は、前記補強部材に当接する。
【００１２】
好適には、前記固設部材は、金属部材により構成されており、前記筐体内部の基準電位部に接続され、前記補強部材は、導電性部材により構成され、前記突起部を介して前記基準電位部に電気的に接続されている。
【発明の効果】
【００１３】
本発明よれば、薄型化を図りつつ表示装置の破損を抑制できる。
【発明を実施するための最良の形態】
【００１４】
図１は、本発明の実施形態に係る携帯端末装置の一例である電子機器としての携帯電話機１の外観を示す図であり、図１（ａ）は正面図、図１（ｂ）は背面図、図１（ｃ）は側面図である。
【００１５】
携帯電話機１は、いわゆる折り畳み式の携帯電話機として構成されており、開閉可能に連結された第１筐体３及び第２筐体５を備えている。なお、図１は、開状態を示している。また、第１筐体３及び第２筐体５は、連結部７により連結されている。第１筐体３及び第２筐体５は、回転軸ＲＡ（図１（ａ））回りに回転可能である。
【００１６】
第１筐体３及び第２筐体５は、携帯電話機１全体の筐体を構成している。第１筐体３及び第２筐体５は、例えば、概ね同様の形状に形成されており、閉状態では互いに重ねあわされて互いの輪郭が略一致する。第１筐体３及び第２筐体５は、例えば、薄型直方体状に形成されている。
【００１７】
以下では、開状態における第１筐体３及び第２筐体５の配列方向（図１の紙面上下方向）を長さ方向、当該長さ方向に直交する方向を幅方向ということがある。
【００１８】
第１筐体３には、例えば、通話用のマイクロフォン１１７（図７参照）の収音孔９（図１（ａ））、着信音等を出力する報知用のスピーカ１１５（図７参照）の放音孔１１（図１（ｂ））、ユーザの操作を受け付ける操作部１３（図１（ａ））、撮像を行う撮像部１５（図１（ｂ））が設けられている。
【００１９】
第２筐体５には、例えば、通話用のスピーカ３３（図２参照）の放音孔１７（図１（ａ））、図形や文字情報等を含む画像を表示するメイン表示部１９（図１（ａ））及びサブ表示部２１（図１（ｂ））が設けられている。メイン表示部１９は、第２筐体５のうち、閉状態において第１筐体３に対向する対向面部５ａにおいて画像を表示する。サブ表示部２１は、第２筐体５のうち、対向面部５ａの背面側の背面部５ｂにおいて画像を表示する。
【００２０】
図２は、第２筐体５の分解斜視図である。なお、図２の紙面上方側は、図１（ｂ）の紙面手前側である。
【００２１】
第２筐体５においては、対向面部５ａ側（図２の紙面下方側）から順に、パネル２５、メイン表示装置２７、フロントケース２９、サブ表示装置３１及び通話用のスピーカ３３、回路基板３５、並びに、リアケース３７（補強部材６２を含む）が積層されている。なお、一部の部品は並列に配置されている。サブ表示装置３１は、ホルダ４５によりフロントケース２９に保持されている。
【００２２】
第２筐体５は、フロントケース２９及びリアケース３７により構成されている。なお、パネル２５も第２筐体５の一部と捉えられてもよい。フロントケース２９（及びパネル２５）は、第２筐体５の対向面部５ａ、及び、外周面部５ｃ（図１（ｃ）等）のうち対向面部５ａ側の部分を構成している。リアケース３７は、第２筐体５の背面部５ｂ、及び、外周面部５ｃのうち背面部５ｂ側を構成している。
【００２３】
フロントケース２９とリアケース３７とは、閉状態において第２筐体５が第１筐体３に対して対向する方向（図２の上下方向）において対向している。フロントケース２９及びリアケース３７は、例えば、フロントケース２９に形成された複数の孔部４１Ａ〜４１Ｄに挿通された複数のネジ３９（一つのみ図示する）が、リアケース３７に形成された複数のネジボス４３Ａ〜４３Ｄに螺合されることにより、互いに固定される。なお、孔部４１Ａ〜４１Ｄ、ネジボス４３Ａ〜４３Ｄ等の結合部位は、例えば、回路基板３５の外周に配置されている。
【００２４】
フロントケース２９とリアケース３７との間に配置される、スピーカ３３や回路基板３５等の電子部品は、フロントケース２９とリアケース３７とが互いに結合されることにより、フロントケース２９とリアケース３７とに挟持され、第２筐体５内に保持される。
【００２５】
フロントケース２９は、強度を保ちつつ薄型化を図るために、板金部材がいわゆるインサート成形によって一体形成されている。すなわち、フロントケース２９は、樹脂により形成された樹脂部５５と、樹脂部５５に埋設された板金部５７とを有している。
【００２６】
樹脂部５５は、主としてフロントケース２９の外周部分を構成している。板金部５７は、特に図示しないが、メイン表示装置２７側を凹とする矩形の箱状部分を有するととともに、その箱状部分の縁部から外周側に突出するフランジ部を有しており、フランジ部が樹脂部５５に埋設されるとともに、箱状部分の外周面が樹脂部５５により被覆されている。なお、板金部５７の箱状部分のメイン表示装置２７側の収納凹部２９ａには、メイン表示装置２７が嵌合する。また、板金部５７の図２において樹脂部５５から露出している部分は、箱状部分の底面である。
【００２７】
板金部５７は、回路基板３５のグランドライン（基準電位部）と電気的に接続されている。例えば、板金部５７には、回路基板３５側に突出する接点用突部５７ａが複数形成されており、第２筐体５が組み立てられたときに、接点用突部５７ａが、回路基板３５のフロントケース２９側の実装面に設けられたグランドパターン層３５ｃに当接することにより、板金部５７は、回路基板３５のグランドラインに接続される。
【００２８】
なお、板金部５７は、筐体を構成するフロントケース２９の一部ではあるが、筐体内部に固設されているといえる。例えば、パネル２５を筐体の一部と捉えれば、板金部５７は、明らかに筐体内部に設けられているといえる。また、パネル２５を筐体の一部と捉えなくても、板金部５７は、第２筐体５及び第２筐体５に保持される電子部品（メイン表示装置２７）によって構成される第２筐体５の外部側の面よりも筐体内部側に位置しているから、筐体内部に設けられているといえる。
【００２９】
リアケース３７は、本体部材５９と、サブ表示部２１の窓部を構成する透光部材６１と、本体部材５９の強度を補強するための補強部材６２とを有している。
【００３０】
本体部材５９は、リアケース３７の大部分を構成している。本体部材５９は、例えば、フロントケース２９と概ね同等の大きさ及び形状を有している。本体部材５９は、例えば、遮光性の樹脂により形成されている。なお、上述のネジボス４３は、本体部材５９に一体成形されている。なお、ネジボスは、タップタイトネジ長さを確保できない場合には、インサートナットを用いて構成されてもよい。
【００３１】
透光部材６１は、本体部材５９に形成された、サブ表示装置３１を露出させるための不図示の開口を塞ぐ部材である。透光部材６１は、例えば、両面テープや接着剤等の適宜な固定部材により、本体部材５９の背面部５ｂ側（図２の紙面上方側）の表面に対して、外周部が固定されている。透光部材６１は、例えば、ガラスや透光性の樹脂により形成されている。なお、透光部材６１は、サブ表示装置３１の保護の観点から、比較的硬度の高い部材により形成されることが好ましい。透光部材６１は、例えば、本体部材５９よりも弾性係数が高い部材により形成されている。透光部材６１は、幅方向（図２の左上から右下への方向）において、本体部材５９の中央に配置されている。透光部材６１は、例えば、長さ方向（図２の左下から右上への方向）を長手方向とする矩形に形成されている。
【００３２】
補強部材６２は、本体部材５９よりも弾性係数の高い部材により形成されている。補強部材６２は、例えば、金属により形成されている。又は、樹脂部材で構成されて、外面に金属性塗装等が施されて、導電性を有して構成されている。補強部材６２は、例えば、携帯電話機１の長さ方向を長手方向とする矩形に形成されている。補強部材６２は、本体部材５９の筐体内部側に配置される。補強部材６２は、後述するように、本体部材５９とフロントケース２９とにより挟持されることにより、本体部材５９に対して固定される。なお、補強部材６２は、リアケース３７とは別の部材として捉えられてもよい。また、補強部材６２は、本体部材５９とフロントケース２９とにより挟持される前に、予め、本体部材５９の内側面に両面テープや接着剤等の適宜な固定部材により固定されていてもよい。また、補強部材６２は、本体部材５９に一体形成される肉厚部により構成されてもよい。
【００３３】
パネル２５は、例えば、透光性を有する樹脂により形成された板状部材である。パネル２５は、メイン表示装置２７の表示面を覆う広さを有している。パネル２５は、例えば、両面テープや接着剤等の適宜な固定部材によりフロントケース２９の対向面部５ａ側（図２の紙面下方側）の面に固定されている。
【００３４】
メイン表示装置２７は、メイン表示部１９を構成している。メイン表示装置２７は、例えば、液晶ディスプレイや有機ＥＬディスプレイにより構成されている。メイン表示装置２７は、例えば、対向面部５ａの半分以上の面積を有するなど、比較的広い面積を有している。メイン表示装置２７は、フロントケース２９の収納凹部２９ａに嵌合される。
【００３５】
通話用のスピーカ３３は、放音面３３ａをフロントケース２９の内側面に（図２の紙面下方側に）向けるとともに、端子部３３ｂをリアケース３７側に向けて、フロントケース２９の内側面に形成されたスピーカ用凹部２９ｂに嵌合される。
【００３６】
回路基板３５は、例えば、硬質の樹脂をベースとしたプリント配線基板により構成されている。回路基板３５には、サブ表示装置３１及びホルダ４５が嵌合する開口部３５ｈが形成されている。回路基板３５には種々の電子部品が配置されており、電子回路が構成されている。例えば、メイン表示装置２７やサブ表示装置３１の動作を制御する制御回路が構成されている。回路基板３５の実装面には、回路基板３５（電子回路）のグランドラインを構成するグランドパターン層３５ｃ（一部のみ示す。）が所定のパターンで配置されている。回路基板３５のスピーカ３３側の端部には、スピーカ３３の端子部３３ｂと接続される端子４９が設けられている。
【００３７】
第２筐体５の連結部７側（図２の紙面右側）には、連結部７を構成する第１ヒンジ部品５１及び第２ヒンジ部品５３が設けられている。第１ヒンジ部品５１及び第２ヒンジ部品５３は、第１筐体３及び第２筐体５に挿通され、第１筐体３及び第２筐体５を回転軸ＲＡ回りに軸支する部品である。
【００３８】
図３（ａ）は、サブ表示装置３１の背面図（フロントケース２９側から見た図）である。図３（ｂ）は、サブ表示装置３１の側面図（図３（ａ）の紙面右側から見た図）である。ただし、図３（ａ）及び図３（ｂ）は、サブ表示装置３１の構成を概念的に示す図であり、一部の部材を大きく示すなどしている。
【００３９】
サブ表示装置３１は、例えば、液晶ディスプレイや有機ＥＬディスプレイ（ＯＬＥＤ）により構成されている。サブ表示装置３１は、サブ表示装置３１の表示面３１ａを構成する表示パネル６３と、表示パネル６３を駆動するためのドライバ６５と、ドライバ６５と回路基板３５とを接続するためのＦＰＣ（フレキシブルプリント配線板）６７とを有している。
【００４０】
表示パネル６３は、例えば、互いに対向する第１ガラス基板６９及び第２ガラス基板７１を有している。表示パネル６３は、例えば、特に図示しないが、第１ガラス基板６９及び第２ガラス基板７１の間に封入された液晶、第１ガラス基板６９及び第２ガラス基板７１の間に積層されたカラーフィルタ、共通電極、及び、表示電極、並びに、第１ガラス基板６９及び第２ガラス基板７１の外側に積層された偏光板等を有している。
【００４１】
表示パネル６３には、図３（ａ）に示すように、縦方向（ｙ方向、携帯電話機１の幅方向）に延びる複数のソースライン７５、及び、横方向（図３（ａ）のｘ方向、携帯電話機１の長さ方向）に延びる複数のゲートライン７７が設けられている（いずれも一部のみ示す。）。なお、ソースライン７５が横方向に延び、ゲートライン７７が縦方向の延びていてもよい。表示パネル６３は、複数のソースライン７５及び複数のゲートライン７７により形成されたマトリックスに対応して、縦横に配列された複数の画素部７３（一部のみ示す。）を有している。各画素部７３には、特に図示しないが、ソースライン７５及びゲートライン７７に接続され、各画素部７３の液晶に印加される電圧を制御するためのＴＦＴ、電荷を保持する蓄積容量等が設けられている。
【００４２】
ドライバ６５は、例えば、ＩＣ（Ｉｎｔｅｇｒａｔｅｄ  Ｃｉｒｃｕｉｔ）により、より具体的には、ＬＳＩ（Ｌａｒｇｅ−Ｓｃａｌｅ  Ｉｎｔｅｇｒａｔｅｄ  ｃｉｒｃｕｉｔ）により構成されている。ドライバ６５は、半導体チップ７９と、半導体チップ７９を内包するパッケージ８１とを有している。パッケージ８１は、例えば、セラミックや樹脂により形成されている。ドライバ６５は、ＦＰＣ６７を介して受信した信号に基づいて、複数のソースライン７５及び複数のゲートライン７７に対して選択的に電圧を印加することにより、複数の画素部７３の液晶を選択的に駆動する。
【００４３】
サブ表示装置３１は、いわゆるＣＯＧ式の表示装置として構成されている。すなわち、ドライバ６５は、表示パネル６３を構成する基板（ここでは、第１ガラス基板６９）に実装されている。具体的には以下のとおりである。
【００４４】
表示面３１ａの広さは、概ね、図３（ａ）の範囲ＲＧ１及び範囲ＲＧ３によって示される広さである。第１ガラス基板６９は、表示面３１ａよりも広く形成されている。具体的には、第１ガラス基板６９は、表示面３１ａと重なる第１領域部６９ａと、第１領域部６９ａに並び、表示面３１ａの外側に位置する第２領域部６９ｂとを有している。
【００４５】
第１領域部６９ａの広さは、例えば、表示面３１ａの広さと概ね同等であり、図３（ａ）の範囲ＲＧ１及び範囲ＲＧ３によって示される広さである。第２領域部６９ｂの広さは、図３（ａ）の範囲ＲＧ２及び範囲ＲＧ３によって示される範囲である。第２領域部６９ｂの広さは、適宜であるが、例えば、第１領域部６９ａの広さよりも小さい。第２領域部６９ｂは、第１領域部６９ａから、携帯電話機１の幅方向（ｙ方向）の一方側へ延在するように、第１領域部６９ａに対して並んでいる。第１ガラス基板６９は、例えば、矩形に形成されており、第１領域部６９ａ及び第２領域部６９ｂもそれぞれ矩形に形成されている。
【００４６】
ドライバ６５は、第２領域部６９ｂに設けられている。例えば、ドライバ６５は、第１ガラス基板６９に沿う方向であって第１領域部６９ａ及び第２領域部６９ｂの配列方向（ｙ方向）に直交する方向（ｘ方向）に延設されている。すなわち、ドライバ６５は、長尺状に形成されており、長手方向をｘ方向にして配置されている。ドライバ６５の長手方向の長さは、第１ガラス基板６９のｘ方向の長さよりも小さい。ドライバ６５は、例えば、ｘ方向において、第１ガラス基板６９の中央に配置されている。
【００４７】
ドライバ６５と第１ガラス基板６９とは、例えば、当接面が密着固定されている。例えば、ドライバ６５と第１ガラス基板６９とは、ドライバ６５と第１ガラス基板６９との間に異方導電性接着フィルムが配置され、これらが加圧及び加熱されることにより固定される。異方導電性接着フィルムは、熱硬化性樹脂と導電性粒子を主成分としている。なお、ドライバ６５の周囲が樹脂封止されてもよい。
【００４８】
ドライバ６５と第１ガラス基板６９とは固定されていることから、第１ガラス基板６９が撓むと、ドライバ６５も撓む。なお、ドライバ６５は、第１ガラス基板６９よりも曲げ変形に対して脆い性質を有している。すなわち、ドライバ６５が破損するたわみ角は、第１ガラス基板６９が破損するたわみ角よりも小さい。なお、破損は、例えば、脆性破壊、永久変形の発生、表示パネル６３やドライバ６５の機能に障害が生じる変形の発生をいう。
【００４９】
ＦＰＣ６７は、第２領域部６９ｂのうち、ドライバ６５の配置位置よりもさらに第１領域部６９ａから離間する部分に対して固定されている。ＦＰＣ６７は、例えば、ドライバ６５と同様に、異方導電性接着フィルムにより第１ガラス基板６９に対して固定されている。
【００５０】
図４は、図２と同一方向からホルダ４５を見た斜視図である。
【００５１】
ホルダ４５は、例えば、ゴムやエラストマー等の弾性部材又は樹脂等の剛性部材により形成されている。ホルダ４５は、サブ表示装置３１の外周を支持可能に枠状に形成されている。具体的には、以下のとおりである。
【００５２】
ホルダ４５は、枠状に形成された枠状基部８３と、枠状基部８３の内周面から突出する外周支持部８５とを有している。
【００５３】
枠状基部８３は、サブ表示装置３１が嵌合する形状及び大きさ、より具体的には、表示パネル６３の側面が嵌合する形状及び大きさに形成されている。すなわち、枠状基部８３は、内周面により概ね矩形の開口が形成されるように構成されている。ただし、携帯電話機１の幅方向の一方側（図４の紙面右下側）の部分は、サブ表示装置３１のＦＰＣ６７を延出させるために一部が開放されており、枠状基部８３には開放部８３ｂが形成されている。
【００５４】
外周支持部８５は、枠状基部８３の内周面のフロントケース２９側（図４の紙面下方側）から、枠状基部８３の開口中央側へ突出している。外周支持部８５は、枠状基部８３に表示パネル６３が嵌合されたときに、表示パネル６３の外周部のうち、第１領域部６９ａの外周となる部分（第１領域部６９ａの外周部自体を含んでも含まなくてもよい）に亘って延びている。すなわち、外周支持部８５は、矩形状の表示パネル６３の４辺のうち、第１領域部６９ａ及び第２領域部６９ｂの配列方向（図３のｙ方向）における第１領域部６９ａ側の１辺と、当該１辺に直交する２辺のうち、第１領域部６９ａ側の一部（図３（ａ）の範囲ＲＧ１により示される部分、第１領域部６９ａを当該直交する２辺へ投影したときに重なる部分）とに亘って設けられている。なお、外周支持部８５の根元には、サブ表示装置３１の外周部の凹凸（図３では不図示）に応じた段差が形成されている。
【００５５】
枠状基部８３には、複数の被係合部８３ｃが形成されている。複数の被係合部８３ｃは、例えば、枠状基部８３の一部が外周側へ凸となるように肉厚に形成されるとともに、その肉厚部に、ホルダ４５のフロントケース２９への対向方向（図４の紙面上下方向）に貫通する孔部が形成されることにより構成されている。
【００５６】
図２に示すように、サブ表示装置３１は、表示パネル６３がホルダ４５の枠状基部８３の開口に嵌合される。この際、表示パネル６３の外周部のうち、第１領域部６９ａの外周となる部分は、外周支持部８５により支持される。
【００５７】
ホルダ４５は、複数の被係合部８３ｃがフロントケース２９に形成された複数の係合部３０Ａ〜３０Ｄ（以下、Ａ〜Ｄを省略することがある。）と係合することにより、フロントケース２９への積層方向に直交する方向の位置決めがなされる。
【００５８】
複数の係合部３０は、例えば、リアケース３７側（透光部材６１側）に向かって突出する突部により構成されている。複数の係合部３０は、例えば、板金部５７に対する折り曲げ加工により形成されている。複数の係合部３０は、例えば、サブ表示装置３１に対して、第１領域部６９ａ側（図２の紙面左上側）に複数（例えば２つ）、第２領域部６９ｂ側に複数（例えば２つ）設けられている。第２領域部６９ｂ側に配置された複数の係合部３０（３０Ａ、３０Ｂ）は、例えば、携帯電話機１の長さ方向（ドライバ６５の長手方向）の複数位置（例えば２箇所）に配置されている。
【００５９】
サブ表示装置３１と板金部５７との間には、シート４７、両面テープ８７、対向支持部材８９が配置されている。
【００６０】
シート４７は、例えば、絶縁性の樹脂により形成されている。シート４７は、概ねサブ表示装置３１と同等の大きさを有している。シート４７は、例えば、接着剤等の適宜な固定部材により、板金部５７に対して固定されている。
【００６１】
両面テープ８７は、第１領域部６９ａと重なる範囲に、第１領域部６９ａ以下の面積で設けられている。両面テープ８７は、シート４７に密着固定されるとともに、表示パネル６３に密着固定される。
【００６２】
対向支持部材８９は、例えば、シート状に形成されている。対向支持部材８９は、透光部材６１側からサブ表示装置３１側への方向へ見て、ドライバ６５の中央（より具体的にはドライバ６５の長手方向の中央）に位置し、ドライバ６５の中央の一部にのみ当接している。なお、対向支持部材８９の面積は、極力小さくされることが好ましい。対向支持部材８９は、例えば、硬質の樹脂、金属等の剛体により構成されている。なお、ゴム等の弾性部材により構成されていてもよい。
【００６３】
複数の係合部３０、シート４７、両面テープ８７、対向支持部材８９の位置から読解されるように、サブ表示装置３１は、第１領域部６９ａが携帯電話機１の幅方向中央に位置するように、全体としては幅方向の一方側に偏って配置される。従って、第１領域部６９ａは、リアケース３７のうち透光部材６１と重なる位置に、第２領域部６９ｂは、リアケース３７のうち本体部材５９と重なる位置に配置される。このため、本体部材５９の剛性が透光部材６１の剛性よりも低い場合には、リアケース３７に加えられた荷重は第２領域部６９ｂに加わり易くなっている。
【００６４】
図５は、図１（ｂ）のＶ−Ｖ線矢視方向における断面図である。図６は、図１（ｂ）のＶＩ−ＶＩ線矢視方向における断面図である。
【００６５】
図６に示すように、サブ表示装置３１、ホルダ４５、及び、複数の係合部３０は、回路基板３５の開口部３５ｈ内に共に配置されている。図５及び図６に示すように、ホルダ４５は、開口部３５ｈを介してフロントケース２９の板金部５７に載置されている。
【００６６】
図５に示すように、表示パネル６３は、第１領域部６９ａ側（図５の紙面左側）の外周部がホルダ４５の外周支持部８５により支持されている。しかし、図５及び図６に示すように、外周支持部８５は、第２領域部６９ｂ側（図５の紙面右側、図６の紙面手前側）には設けられていないことから、表示パネル６３の第２領域部６９ｂ側の外周部は、外周支持部８５によっては支持されていない。従って、ホルダ４５は、第１領域部６９ａとフロントケース２９（より具体的には板金部５７）との近接を規制する一方で、第２領域部６９ｂとフロントケース２９との近接を許容していることになる。換言すれば、ホルダ４５は、第２領域部６９ｂが第１領域部６９ａよりも筐体内部側（板金部５７側）へ変位可能となるように、表示パネル６３を支持していることになる。
【００６７】
また、表示パネル６３は、図５に示すように、第１領域部６９ａのうち中央側の部分や第２領域部６９ｂ側の部分が、シート４７及び両面テープ８７（図５では不図示）に支持されている。図５及び図６に示すように、ドライバ６５は、対向支持部材８９によって支持されている。具体的には、図６に示すように、ドライバ６５は、長手方向（図６の紙面左右方向）の中央において、対向支持部材８９により支持されている。
【００６８】
図５に示すように、表示パネル６３の第１領域部６９ａ側は、リアケース３７の透光部材６１とフロントケース２９の板金部５７によって挟持されている。なお、透光部材６１と表示パネル６３との間には、弾性シート等の適宜な部材が配置されてよい。また、表示パネル６３と板金部５７との間には、上述のように、ホルダ４５が介在している。
【００６９】
図５及び図６に示すように、表示パネル６３の第２領域部６９ｂ側及びドライバ６５は、リアケース３７の補強部材６２とフロントケース２９の板金部５７によって挟まれる位置に配置されている。なお、表示パネル６３と板金部５７との間には、上述のように、対向支持部材８９が介在している。
【００７０】
図６に示すように、補強部材６２は、本体部材５９と係合部３０Ａ、３０Ｂとにより挟持されている。本体部材５９の内側面には、例えば、補強部材６２を位置決めするための凹部５９ａが形成されており、補強部材６２は、凹部５９ａに嵌合している。
【００７１】
係合部３０Ａ、３０Ｂは、例えば、ドライバ６５の長手方向の両側に、ドライバ６５を挟むように配置されている。係合部３０Ａ、３０Ｂは、ホルダ４５の被係合部８３ｃの孔部を貫通して補強部材６２側に露出しており、補強部材６２に当接している。上述のように、係合部３０を含む板金部５７は、回路基板３５のグランドラインに電気的に接続されているから、金属部材で構成された（又は金属性塗装が施された）補強部材６２は、係合部３０を介して、回路基板３５のグランドラインに電気的に接続されることになる。
【００７２】
係合部３０Ａ、３０Ｂは、例えば、第１ガラス基板６９のリアケース３７側の面よりも若干突出している。従って、第１ガラス基板６９と補強部材６２との間には微小な隙間が形成されている。なお、この微小な隙間に弾性シートを配置して、補強部材６２とフロントケース２９とにより、第１ガラス基板６９及びドライバ６５を挟持するようにしてもよい。
【００７３】
図７は、携帯電話機１の信号処理系の構成を示すブロック図である。
【００７４】
携帯電話機１は、ＣＰＵ１０１、メモリ１０３、通信処理部１０５、音響処理部１０７及び画像処理部１０９を備えている。これら各部は例えば第１筐体３内の不図示の回路基板や第２筐体５内の回路基板３５等に設けられたＩＣにより構成されている。
【００７５】
ＣＰＵ１０１及びメモリ１０３は、操作部１３等の各種手段からの信号に基づいて所定の演算を行い、画像処理部１０９等の各種手段の制御を実行する制御部として機能する。
【００７６】
通信処理部１０５は、高周波回路を含んで構成されている。通信処理部１０５は、電波を利用した遠距離無線通信を行うために、ＣＰＵ１０１で処理された音響データ、画像データ等の各種データを変調して、アンテナ１１１を介して送信する。また、通信処理部１０５は、アンテナ１１１を介して受信した信号を復調してＣＰＵ１０１に出力する。
【００７７】
音響処理部１０７は、ＣＰＵ１０１からの音響データを電気信号に変換して通話用のスピーカ３３、着信等を報知するためのスピーカ１１５に出力する。スピーカ３３及びスピーカ１１５は、音響処理部１０７からの電気信号を音響に変換して出力する。一方、マイクロフォン１１７は、入力された音響を電気信号に変換して音響処理部１０７に出力する。音響処理部１０７は、マイクロフォン１１７からの電気信号を音響データに変換してＣＰＵ１０１に出力する。
【００７８】
画像処理部１０９は、ＣＰＵ１０１からの画像データを画像信号に変換してメイン表示部１９及びサブ表示部２１へ出力する。また、撮像部１５から出力される撮像信号（画像データ）を所定のフォーマットの画像データに変換してＣＰＵ１０１へ出力する。
【００７９】
以上の実施形態の携帯電話機１によれば、サブ表示装置３１は、背面部５ｂ側に対向し、表示面３１ａに重なる第１領域部６９ａ及び当該第１領域部６９ａに並び表示面３１ａの外側に位置する第２領域部６９ｂを有する第１ガラス基板６９を有し、表示面３１ａを構成する表示パネル６３と、第１ガラス基板６９の第２領域部６９ｂに設けられ、表示パネル６３を駆動するドライバ６５と、を有し、板金部５７は、第２領域部６９ｂに隣接して設けられ、背面部５ｂ側（透光部材６１側）へ向かって突出する係合部３０Ａ、３０Ｂを有することから、背面部５ｂに筐体外側から荷重が加えられても、係合部３０Ａ、３０Ｂが背面部５ｂの内側面に当接して、背面部５ｂの筐体内部側への変位を抑制する。その結果、背面部５ｂに加えられた荷重がサブ表示装置３１に伝達されることが抑制され、第２領域部６９ｂに設けられたドライバ６５の破損が抑制される。
【００８０】
携帯電話機１は、板金部５７と背面部５ｂとの間に配置された回路基板３５を有し、回路基板３５には、サブ表示装置３１及び係合部３０が共に配置される開口部３５ｈが形成されていることから、筐体の薄型化を図りつつ、電子部品を配置するスペースをサブ表示装置３１の周囲に確保することができ、且つ、回路基板３５よりも外周側を支点とする背面部５ｂの撓みを係合部３０により確実に抑制できる。
【００８１】
係合部３０は、サブ表示装置３１よりも背面部５ｂ側へ突出していることから、サブ表示装置３１と背面部５ｂとの間には隙間が形成されることになる。従って、例えば、背面部５ｂに筐体内部側への荷重が加えられて背面部５ｂが筐体内部側へ変位したときに、背面部５ｂがサブ表示装置３１に当接する前に、係合部３０による背面部５ｂの筐体内部側への変位の抑制が開始されることになり、一層のドライバ６５の破損が抑制される。また、例えば、サブ表示装置３１と背面部５ｂとの隙間に弾性シートを配置した場合には、弾性シートの復元力により適宜な圧力でサブ表示装置３１を保持しつつ、背面部５ｂに筐体内部側への荷重が加えられたときに弾性シートの復元力が大きくなりすぎることを抑制することができる。
【００８２】
ドライバ６５は、長尺状に形成され、係合部３０Ａ、３０Ｂは、ドライバ６５の長手方向の複数位置に設けられていることから、背面部５ｂが、ドライバ６５の長手方向において、筐体内部側に撓むことが抑制され、ドライバ６５の破損が防止される。例えば、背面部５ｂがネジボス４３Ｂ、４３Ｃを支点として撓むときは、支点間の距離が比較的長いことから、ドライバ６５の位置における変位が大きくなり、ドライバ６５の長手方向中央に荷重が加わりやすく、ドライバ６５が折れやすいが、第２領域部６９ｂに隣接し、ドライバ６５の長手方向において設けられた係合部３０Ａ、３０Ｂが支点となることにより、ドライバ６５の長手方向中央に荷重が加わることが抑制される。
【００８３】
携帯電話機１は、サブ表示装置３１を保持するホルダ４５を有し、係合部３０Ａ、３０Ｂは、背面部５ｂの筐体内部側への変位の規制と、ホルダ４５の位置決めとに兼用されることから、構成が簡素である。
【００８４】
係合部３０が設けられる板金部５７は、第２筐体５を構成するフロントケース２９（又は樹脂部５５）と一体的に構成されていることから、部品点数の増加を招くことがなく、かつ、係合部３０が第２筐体５に対して強固に固定され、背面部５ｂの筐体内部側への変位の抑制が確実に行われる。
【００８５】
背面部５ｂは、樹脂により構成されたリアケース３７の本体部材５９と、樹脂よりも弾性係数の高い金属により構成され、本体部材５９の内面に配置された補強部材６２とを含んで構成され、係合部３０Ａ、３０Ｂは、補強部材６２に当接していることから、背面部５ｂを局所的に補強して背面部５ｂの撓みを抑制し、全体として合理的な強度の構成とすることができる。
【００８６】
また、リアケース３７の適宜な位置にドライバ６５を位置させることが可能となる。例えば、リアケース３７の本体部材５９の弾性係数が、リアケース３７の透光部材６１の弾性係数よりも低い場合、ドライバ６５は透光部材６１に対向する位置に配置されることが望ましい。しかし、デザイン上、透光部材６１の面積を小さくしたいときには、ドライバ６５を透光部材６１に対向させることはできない。そこで、補強部材６２を透光部材６１に隣接して設けることにより、ドライバ６５を透光部材６１の外側に配置しつつもドライバ６５の破損を防止することができる。
【００８７】
また、フロントケース２９（板金部５７）から補強部材６２側へ突出する係合部３０により、補強部材６２とフロントケース２９との間にサブ表示装置３１が配置される空間が形成されることから、補強部材６２にフロントケース２９側に突出する突出部を設けることによりサブ表示装置３１が配置される空間を形成する場合に比較して、補強部材６２の形状を単純化することができる。その結果、補強部材６２は、板金部５７よりも折り曲げ加工が困難な、より硬度の高い材料により構成することができる。
【００８８】
板金部５７は、金属部材により構成されており、筐体内部の回路基板３５のグランドラインに電気的に接続され、補強部材６２は金属部材により構成されており、係合部３０を介して回路基板３５のグランドラインに電気的に接続されていることから、係合部３０は、サブ表示装置３１の位置決め及び保護だけでなく、補強部材６２の導通にも兼用されることになり、構造が簡素化される。
【００８９】
背面部５ｂに筐体内部側への荷重が加えられることにより、サブ表示装置３１の中央側に筐体内部側への荷重が加えられると、サブ表示装置３１は外周部においてホルダ４５から反力を受ける。すなわち、サブ表示装置３１は、両端支持の状態において荷重が加えられることになる。その結果、サブ表示装置３１には、荷重と反力とにより曲げモーメントが生じることになる。
【００９０】
しかし、ホルダ４５は、表示パネル６３の第１領域部６９ａ側のみを支持していることから、第１領域部６９ａが、筐体内部側への変位を規制する反力をホルダ４５から受けている状態においても、第２領域部６９ｂは、筐体内部側への変位を規制する反力を受けず、若しくは、筐体内部側への変位を規制する反力が第１領域部６９ａよりも小さい。従って、第２領域部６９ｂにおいてフロントケース２９からの反力によって生じる曲げモーメントが抑制される。
【００９１】
サブ表示装置３１の第２領域部６９ｂ側部分とフロントケース２９との間には、第２領域部６９ｂの中央において対向支持部材８９が介在していることから、サブ表示装置３１とフロントケース２９との近接が規制されている。従って、リアケース３７の背面部５ｂに筐体内部側への荷重が加えられることにより、リアケース３７と結合されたフロントケース２９の板金部５７が背面部５ｂ側を凹として撓んでも、ドライバ６５や第１ガラス基板６９の両端が板金部５７に当接することが抑制される。その結果、サブ表示装置３１が両端支持の状態となることが防止され、反力により曲げモーメントが生じることが防止される。
【００９２】
なお、対向支持部材８９の厚さ（ドライバ６５又は第１ガラス基板６９と、フロントケース２９との距離）は、携帯電話機１が耐えるべき荷重がドライバ６５の中央に加えられたときに、ドライバ６５又は第１ガラス基板６９の両端と、フロントケース２９とが当接しないように設定されることが好ましい。
【００９３】
なお、以上の実施形態において、携帯電話機１は本発明の携帯端末装置の一例であり、背面部５ｂは本発明の透光面部の一例であり、透光部材６１の配置領域は透光性の領域の一例であり、板金部５７は本発明の固設部材の一例であり、係合部３０は本発明の突起部の一例であり、ホルダ４５は本発明の保持部材の一例であり、本体部材５９は本発明のケース部材の一例であり、樹脂は本発明の第１の材料の一例であり、金属は本発明の第２の材料の一例であり、グランドパターン層３５ｃは本発明の基準電位部の一例である。
【００９４】
本発明は、以上の実施形態に限定されず、種々の態様で実施されてよい。
【００９５】
携帯端末装置は、携帯電話機に限定されない。例えば、携帯端末装置は、デジタルカメラ、ＰＤＡ、ノートパソコン、ゲーム機であってもよい。筐体は、開閉可能に構成された２つの筐体の一方に限定されない。例えば、筐体は、携帯端末装置全体の筐体を構成するものであってもよい。
【００９６】
表示装置は、液晶ディスプレイに限定されない。例えば、表示装置は、有機ＥＬディスプレイであってもよい。また、表示装置は、折り畳み式の筐体の背面部に表示面を対向させるものに限定されない。例えば、実施形態におけるメイン表示装置２７に本発明の支持構造が適用されてもよい。また、表示装置は、折り畳み式以外の形態の筐体を有するものであってもよい。
【００９７】
破損が防止される対象である、ドライバ（ＩＣ）は、基板（実施形態では第１ガラス基板６９）に対して筐体内部側に設けられるものに限定されない。基板に対して筐体外部側に設けられてもよい。また、ドライバ（ＩＣ）が設けられる基板は、ガラス基板に限定されない。例えば、基板はアクリルなどの樹脂基板でもよい。また、表示装置の構成によっては、基板は、透光性を有していなくてもよい。
【００９８】
固設部材（実施形態では板金部５７）は、実施形態のように、筐体の少なくとも一部（実施形態ではフロントケース２９又は樹脂部５５）と一体的に構成されていてもよいし、一体的に構成されていなくてもよい。なお、固設部材と筐体とが一体的に構成されているか否かは、例えば、固設部材と筐体とが、それぞれ独立に構成された後に互いに固定されたものであるか否かにより、判断できる。すなわち、固設部材及び筐体の両者又は一方を形成すると同時に、固設部材及び筐体が互いに固定されているのであれば、これらは一体的に構成されたといえる。また、例えば、固設部材と筐体とが一体的に構成されているか否かは、分解可能であるか否かにより判断できる。すなわち、固設部材と筐体とを、少なくとも一方を破壊しなければ分離できないのであれば、これらは一体的に構成されているといえる。
【００９９】
固設部材が筐体と一体的に構成されていない例としては、固設部材が筐体に対して、ネジにより固定されている場合、係合部により固定されている場合、他の部材と筐体とに固設部材が挟持されることにより固定されている場合、両面テープや接着剤等の固定部材により固定されている場合がある。
【０１００】
固設部材が筐体と一体的に構成されている例としては、実施形態のように、インサート成形により形成されている場合、固設部材と筐体とが一の材料により形成されている場合（例えば、実施形態における板金部５７に相当する部分と樹脂部５５に相当する部分とが樹脂により一体成形されている場合）、一方が他方に溶着されている場合がある。
【０１０１】
突起部（実施形態では係合部３０）は、表示装置よりも透光面部（実施形態では背面部５ｂ）側へ突出していなくてもよい。この場合であっても、透光面部に対して筐体内部側への荷重が加えられた場合、透光面部及び表示装置が筐体内部側へ変位することにより、突起部が透光面部に当接し、それ以降の透光面部の筐体内部側への変位を抑制し、過度の荷重が透光面部から表示装置に加えられることが防止される。
【０１０２】
補強部材は、本発明の必須の要件ではない。例えば、実施形態において、係合部３０が本体部材５９に当接して、本体部材５９の筐体内部側への変位を抑制してもよい。
【図面の簡単な説明】
【０１０３】
【図１】本発明の実施形態の携帯電話機の外観を示す図。
【図２】図１の携帯電話機の第２筐体の分解斜視図。
【図３】図２の第２筐体に配置されるサブ表示装置を示す概略図。
【図４】図３のサブ表示装置を保持するホルダの斜視図。
【図５】図１（ｂ）のＶ−Ｖ線矢視方向の断面図。
【図６】図１（ｂ）のＶＩ−ＶＩ線矢視方向の断面図。
【図７】図１の携帯電話機の信号処理系の構成を示すブロック図。
【符号の説明】
【０１０４】
１…携帯電話機（携帯端末装置）、５…第２筐体（筐体）、５ｂ…背面部（透光面部）、３０…係合部（突起部）、３１…サブ表示装置（表示装置）、３１ａ…表示面、４５…ホルダ（保持部材）、６３…表示パネル、６５…ドライバ（ＩＣ）、６９…第１ガラス基板（基板）、６９ａ…第１領域部、６９ｂ…第２領域部。
【図１】
2008294653.tif 000003
【図２】
2008294653.tif 000004
【図３】
2008294653.tif 000005
【図４】
2008294653.tif 000006
【図５】
2008294653.tif 000007
【図６】
2008294653.tif 000008
【図７】
2008294653.tif 000009